(57)【要約】【課題】バーナの火炎がゴミに直接当たらず，ゴミを燃やさないで少量の熱量でゴミの乾燥効果を最大にし，エネルギを最大に節約する。【解決手段】本発明はゴミ乾燥装置に関するもので，詳しくは，外側回転ドラムおよび内側回転ドラムで構成され，一側のガイドローラにより，回転可能に支持されながら，モータと連結されたチェーンベルトにより駆動するローラが外側回転ドラムの他側外周面に接しながら，回転するよう設置されていて，外側回転ドラムと内側回転ドラムの内周面に攪拌翼板および攪拌片が形成されており，ホッパに投入されたゴミが，バーナの熱風により乾燥され、出口を通し排出されるように構成されたゴミの乾燥装置である。上記内側回転ドラム（１００）の内部に上記バーナ（５００）から出てくる火炎を内側回転ドラム（１００）内部で均一に分散させるため、複数個の反射保護笠（１３０）およびエネルギ節約板（１４０）が内側回転ドラムの内部に装着され，上記内側回転ドラム（１００）の外周面には上記外側回転ドラム（２００）から落下された生ゴミを均一に粉砕するため、軸方向に多数の鋸歯（１５０）が突出形成されることによって，上記バーナの火炎がゴミに直接当たらず，ゴミを燃やすことがなく熱い燃焼ガスがゴミと一緒に円筒形回転ドラムを通過し，少量の熱量でゴミの乾燥効果を最大にし、エネルギを最大に節約できる。
2005515875.tif 000002
【特許請求の範囲】
【請求項１】
外側回転ドラムおよび内側回転ドラムから構成され，
一側のガイドローラにより回転可能に支持されながら，モータと連結されたチェーンベルトにより駆動するローラが前記外側回転ドラムの他側外周面に接しながら，回転するよう設置され，前記外側回転ドラムと前記内側回転ドラムの内周面に攪拌翼板および攪拌片が形成されており，
ホッパから投入された廃棄物がバーナの熱によって乾燥され，その乾燥された廃棄物が吐出口を通し排出されるように構成されるゴミ乾燥装置において，
前記内側回転ドラム（１００）の内部に前記バーナ（５００）から出てくる火炎を前記内側回転ドラム（１００）内部で均一に分散させるため，複数個の反射保護笠（１３０）およびエネルギ節約板（１４０）が装着され，前記内側回転ドラム（１００）の外周面には，前記外側回転ドラム（２００）から落下された食物ゴミを均一に粉砕するために軸方向に多数ののこぎりの歯（１５０）が直線状に突出形成されることを特徴とするゴミ乾燥装置。
【請求項２】
請求項１に記載のゴミ乾燥装置において，前記内側回転ドラム（１００）の一端内周面には食物ゴミが円滑に移送されるように傾斜した突槽（１６０）が形成され，前記傾斜した突槽（１６０）と攪拌翼板（１１０）の間には前記内側回転ドラム（１００）から投入された食物ゴミを速かに移送させるため，移送スクリュ（１７０）が突出形成されることを特徴とするゴミ乾燥装置。
【請求項３】
請求項１に記載のゴミ乾燥装置において，前記外側回転ドラム（２００）の他端内側で前記バーナ（５００）から出てくる火炎を前記外側回転ドラム（２００）に均一に伝導させるため，傾斜した突槽（２４０）が形成されることを特徴とするゴミ乾燥装置。
【請求項４】
請求項１に記載のゴミ乾燥装置において，前記エネルギ節約板（１４０）は円盤形状になっており，前記エネルギ節約板に多数の貫通穴（１４１）が形成されることを特徴とするゴミ乾燥装置。
【発明の詳細な説明】
【技術分野】
【０００１】
本発明は，ゴミ乾燥装置に関するもので，詳しくは，内側回転ドラム内部に複数個の反射保護笠およびエネルギ節約板を装着することにより，バーナから出る火炎を内側回転ドラムおよび外側回転ドラム内部で均一に分散させると共に上記バーナの火炎が直接ゴミを燃やすことがなく，少ない熱量でゴミの乾燥効果を最大にできるゴミ乾燥装置に関する。
【背景技術】
【０００２】
産業の発展にともない人間の生活環境が裕福になり，各種食物消費量が爆発的に増え，その結果発生するゴミの量がますます多くなりつつある。また，家畜の飼育設備の大型化により，家畜の有機性排泄物などが環境汚染の一原因になり，その処理が問題になっている。
【０００３】
したがって，上記の有機性ゴミをより効果的に処理し，農作業に再利用するために多様な試みが行なわれる中で，最も早く実行すべき作業は環境汚染の主要因であり，また長期間保存阻害要因になる水分を除去する乾燥作業であろう。
【０００４】
多量のゴミを短い時間で乾燥するには，円筒形ドラムのロータリキルン式乾燥方法が最も理想的である。類似の従来技術としては図１に示された通り，フレーム（１）に取り付けられ，上部のホッパ（２）に堆肥が投入される供給部（３）と；上記供給部（３）を通じて，移送される堆肥を粉砕および混合し，右方向で移送させる，その内周面に一定間隔を持って順次に傾斜するように装着された多数の攪拌翼板（４）および攪拌片（５）が備わった内側回転ドラム（６）と；その下部外周面が上記フレーム（１）部位で回転可能に支持され，その内側で上記内側回転ドラム（６）が連結され，上記内側回転ドラム（６）を通じて，移送される堆肥をまた粉砕および混合して，左方向で移送，攪拌させるためにその内周面に一定間隔を持って順次に傾斜するように装着された多数の攪拌翼板（４'）および攪拌片（５'）が備わった外側回転ドラム（７）と；上記外側回転ドラム（７）の一側に装着され，供給部（３）を通じて，内側回転ドラム（６）および外側回転ドラム（７）の内部に投入された堆肥を燃焼させるバーナ（８）と；上記外側回転ドラム（７）と内側回転ドラム（６）がお互い同じ方向に回転できるよう，上記外側回転ドラム（７）の先端に設置されたチェーンギア（未図示）を駆動モータ（９）とチェーン（１０）で連動させた駆動手段（１１）；上記供給部（３）側にフレーム（１）および外側回転ドラム（７）上に設置され，その上側で堆肥が乾燥時に発生する排気ガスがファン（１２）によって排出される排気煙ドラム（１３）が備わることと，その下部で上記供給部（３）を通じて，内側回転ドラム（６）および外側回転ドラム（７）の内部に導入され，破砕および乾燥された堆肥がスクリュ（１４）により完全に粉砕され，吐出口（１５）から排出されるように備わった排出手段（１６）；などを含んで構成されたゴミ乾燥装置が知られている。
【０００５】
しかし，上記のゴミ乾燥装置は，バーナ（８）が堆肥を移送する外側回転ドラム（７）に設置され，バーナ（８）からの火炎を直接内側回転ドラム（６）の内部に照射する構成であるため，熱エネルギが上記外側回転ドラム（７）および内側回転ドラム（６）内部に拡散されないため，堆肥を乾燥する場合，熱効率が落ちて，供給部（３）で投入される堆肥や食物ゴミなどを完全に乾燥させることはできず，すでに乾燥された堆肥を燃やしてしまうなどの問題点があった。
【０００６】
また，上記供給部（３）と内側回転ドラム（６）の攪拌翼板（４）の間の間隔が長く，食物ゴミを移送する速度が遅くなることによって，多量の食物ゴミを迅速に乾燥させることが難しい問題点も指摘されてきた。
【発明の開示】
【発明が解決しようとする課題】
【０００７】
本発明は，上記のような問題点を解決するために案出されたもので，本発明の目的は，上記バーナから出る火炎を内側回転ドラムおよび外側回転ドラム内部で均一に分散させるために上記内側回転ドラム内部に複数個の反射保護笠およびエネルギ節約板を装着することにより，バーナの火炎がゴミに直接当たらず，ゴミを燃やすことがないようにし，熱い燃焼ガスがゴミと一緒に円筒形回転ドラムを通過して，少量の熱量でゴミの乾燥効果を最大にするゴミ乾燥装置を提供することにある。
【０００８】
本発明のもうひとつの目的は，上記供給部が装着される内側回転ドラムの一段内周面に傾斜した突槽が形成されることと共に上記傾斜した突槽と攪拌翼板間に上記内側回転ドラムの内周面に移送スクリュを突出形成させることによって，上記内側回転ドラムで投入された食物ゴミを速かに移送させるゴミ乾燥装置を提供することにある。
【課題を解決するための手段】
【０００９】
上記の目的を達成するため，本発明は，外側回転ドラムおよび内側回転ドラムで構成され，一側のガイドローラにより，回転可能に支持されながら，モータと連結したチェーンベルトにより駆動されるローラが外側回転ドラムの他側外周面に接しながら回転するよう設置され，外側回転ドラムと内側回転ドラムの内周面に攪拌翼板および攪拌片が形成されており，ホッパに投入された廃棄物がバーナの熱風によって乾燥され，その乾燥された廃棄物が吐出口を通し排出されるように構成したゴミの乾燥装置において，上記内側回転ドラムの内部に上記バーナから出る火炎を内側回転ドラム内部で均一に分散させるため，複数個の反射保護笠およびエネルギ節約板が装着され，上記内側回転ドラムの外周面には上記外側回転ドラムから落下された食物ゴミを均一に粉砕するため，軸方向に直線状の多数の鋸状の歯が突出形成されることを特徴とする。
【００１０】
また，上記内側回転ドラムの内周面には食物ゴミが円滑に移送されるように傾斜した突槽が形成され，上記傾斜突槽と攪拌翼板間には上記内側回転ドラムで投入された食物ゴミを速かに移送させるため，移送スクリュが突出形成されることが望ましい。
【００１１】
また，上記外側回転ドラムの他端の内側には上記バーナから出る火炎を外側回転ドラムに均一に伝達させるため，傾斜した突槽が形成されることが望ましい。
【発明の効果】
【００１２】
本発明に係るゴミ乾燥装置によれば，内側回転ドラムの一端内周面に傾斜した突槽が形成されると共に，上記傾斜した突槽と攪拌翼板間の上記内側回転ドラムの内周面に移送スクリュを突出形成させ，食物ゴミが円滑かつ速かに移送できる。
【００１３】
また，本発明に係るゴミ乾燥装置によれば，上記内側回転ドラム内部に多数の反射保護笠およびエネルギ節約板を装着することにより，上記バーナから出る火炎を内側回転ドラムおよび外側回転ドラム内部で均一に分散させることと共に上記バーナの火炎がゴミに直接触れないので，ゴミが燃えることがなく，少ない熱でゴミの乾燥効果を最大にし，エネルギを節約できる。
【００１４】
また，本発明に係るゴミ乾燥装置によれば，上記内側回転ドラムの外周面に直線状の多数ののこぎりの歯が軸方向に突出形成されることにより，上記外側回転板から落下された食物ゴミを均一に粉砕できる。
【００１５】
また，本発明に係るゴミ乾燥装置によれば，上記外側回転ドラムの他端内側に傾斜した突槽を形成することによって，上記バーナから出る火炎を外側回転ドラムの内周面に均一に伝導させ，食物ゴミの乾燥完全により未乾燥の食物ゴミからの廃水または浸出水を防ぐことができる。
【発明を実施するための最良の形態】
【００１６】
以下，本発明の望ましい実施形態を添付図を参照に詳細に説明する。本実施形態は，本発明の権利範囲を限定するのではなく，単に例示で提示されたものである。
【００１７】
図２は本発明の実施形態に係るゴミ乾燥装置の全体的な構成を表した断面図で，図３は本発明の実施形態に係る内側回転ドラム（１００）および外側回転ドラム（２００）の構成を示した断面図である。
【００１８】
図４は本発明の実施形態に係る内側回転ドラム（１００）および外側回転ドラム（２００）を説明するための断面斜視図である。本実施形態に係るゴミ乾燥装置は，内側回転ドラム（１００）および外側回転ドラム（２００）から構成され，一側のガイドローラ（３００）により回転可能に支持され，モータ（３１０）と連結したチェーンベルト（３２０）により駆動するローラ（３３０）が外側回転ドラム（２００）の他側外周面（２３０）に接しながら回転するよう駆動手段（３４０）が備えられ，上記内側回転ドラム（１００）と外側回転ドラム（２００）の内周面に多数の攪拌翼板（１１０）（２１０）および攪拌片（１２０）（２２０）が順々に形成されており，供給部（４００）のホッパ（４１０）から投入された廃棄物がバーナ（５００）の熱風により乾燥され，その乾燥された廃棄物および燃焼ガスが排出手段（６００）を通じて排出されるように構成される。本発明の実施形態に係るゴミ乾燥装置において，上記バーナ（５００）から出てくる火炎を上記内側回転ドラム（１００）内部で均一に分散させるため，複数個の反射保護笠（１３０）およびエネルギ節約板（１４０）が上記内側回転ドラム（１００）内部で多数の支持台（１３５）により結合される。この時，上記反射保護笠（１３０）および上記エネルギ節約板（１４０）の一側と上記内側回転ドラム（１００）の内周面の結合は，一般的に溶接により行われる。
【００１９】
一方，上記内側回転ドラム（１００）は外側回転ドラム（２００）の内部に，溶接（未図示）またはねじ締結により堅く固定されているため，上記外側回転ドラム（２００）が駆動手段（３４０）により回転すると，上記内側回転ドラム（１００）も同じ方向に回転するようになる。
【００２０】
上記反射保護笠（１３０）は円錐形状になっており，その頂点が上記バーナ（５００）から出てくる火炎と向かい合うように設置され，バーナ（５００）から出てくる火炎を上記内側回転ドラム（１００）の内周面で均一に分散させることができる。
【００２１】
また，上記エネルギ節約板（１４０）は円盤形状になっており，その円盤には多数の貫通穴（１４１）が形成されている。
【００２２】
そして，上記内側回転ドラム（１００）の外周面には，上記外側回転ドラム（２００）から落下された食物ゴミを均一に粉砕するために軸方向で直線状の多数ののこぎりの歯（１５０）が突出形成されている。
【００２３】
また，上記内側回転ドラム（１００）の一端内周面には食物ゴミの移送を円滑にできるように傾斜した突槽（１６０）が形成され，上記傾斜した突槽（１６０）と攪拌翼板（１１０）の間には上記内側回転ドラム（１００）に搬入された食物ゴミを速かに移送させるため，移送スクリュ（１７０）が突出形成されている。
【００２４】
上記外側回転ドラム（２００）の他端内側には，上記バーナ（５００）から出てくる火炎を外側回転ドラム（２００）に均一に伝達させるため，傾斜した突槽（２４０）が形成されている。
【００２５】
このように構成された本発明の実施形態に係るゴミ乾燥装置の作用は次のとおりである。
【００２６】
まず，食物ゴミの流れを見ると，フレーム（６００）上に設置される供給部（４００）のホッパ（４１）を通じて，食物ゴミおよび堆肥などが投入され，上記駆動手段（３４０）のモータ（３１０）と連結されたチェーンベルト（３２０）により駆動するローラ（３３０）が外側回転ドラム（２００）の他側外周面（２３０）に接しながら回転するので，外側回転ドラム（２００）および内側回転ドラム（１００）が同じ方向で回転するようになり，上記供給部（４００）を通じて，投入された食物ゴミは上記内側回転ドラム（１００）の移送スクリュ（１７０）を通して，攪拌翼板（１１０）および攪拌片（１２０）に順々に攪拌，移送され，上記内側回転ドラム（１００）の終端部から上記外側回転ドラム（２００）へ落下され，再び攪拌翼板（２１０）および攪拌片（２２０）を通しながら、上記内側回転板（１００）ののこぎりの歯（１５０）に落下されて粉砕される。その後、上記外側回転ドラム（２００）の終端部から上記排出手段（６００）に落下されてスクリュ（６３０）を通じて，食物ゴミを完全破砕し，吐出口（６４０）を通じて外に排出される。
【００２７】
一方，上記バーナ（５００）から出てくる火炎の流れを見ると，上記バーナ（５００）から出てきた火炎は，まず供給部（４００）を通じて，内側回転ドラム（１００）に投入された食物ゴミを上記反射保護笠（１３０）を通じて，内側回転ドラム（１００）の内周面に分散させ，食物ゴミを乾燥させ，上記エネルギ節約板（１４０）の貫通穴（１４１）を通じて，熱伝導を徐々に行えるようにし，熱エネルギを節約し，効果的に食物ゴミを乾燥させるようになる。そして，上記バーナ（５００）から出てくる火炎が上記外側回転ドラム（２００）の傾斜した突槽（２４０）を経て，外側回転ドラム（２００）の内周面に均一に分散されることによって，上記内側回転ドラム（１００）から外側回転ドラム（２００）に落下された食物ゴミを完全乾燥できる。この時，食物ゴミを乾燥するとき出る燃焼ガスは，上記排出手段（６００）のファン（６１０）により排気煙ドラム（５２０）から排出される。また，上記バーナ（５００）の上部に設置された排気ドラム（７００）を通じて，バーナ（５００）から出てくる熱を移動させ，再利用できるようにする。
【００２８】
以上，本発明に係る好適な実施形態について説明したが，当業者であれば，各種の修正または追加や代用が可能であることが理解でき，それらについても特許請求項において明らかにした本発明の技術的範囲または趣旨に外れることはないと了解される。
【図面の簡単な説明】
【００２９】
本発明の目的，特徴および利点をより明確にするために，添付図に関連した詳細な説明を以下に示す。
【図１】従来のゴミ乾燥装置を説明するための断面図である。
【図２】本発明の実施形態に係るゴミ乾燥装置の全体的な構成を示した断面図である。
【図３】本発明の実施形態に係る内側回転ドラム（１００）および外側回転ドラム（２００）の構成を表した断面図である。
【図４】本発明の実施形態に係る内側回転ドラム（１００）および外側回転ドラム（２００）を説明するための断面斜視図である。
【符号の説明】
【００３０】
１００：内側回転ドラム
２００：外側回転ドラム
３４０：駆動手段
４００：供給部
５００：バーナ
６００：排出手段
７００：排気ドラム
【図１】
2005515875.tif 000003
【図２】
2005515875.tif 000004
【図３】
2005515875.tif 000005
【図４】
2005515875.tif 000006
【国際調査報告】
2005515875.tif 000007